(57)【要約】      （修正有）【課題】強固で耐久性に富む抗菌被膜を形成することで、長年にわたり抗菌作用を発揮し続けることができるとともに、金属光沢を放ち美観に優れた二重抗菌排水設備を提供する。【解決手段】ステンレス鋼の芯材と芯材に被膜された銅メッキとで構成され、上面に水が流れ込むための開口部１１が設けられ床又は地面に埋設される排水溝１０、開口部に敷設される溝蓋、排水溝の端部に接続される集水枡３０、集水枡の内部に設置され集水枡に流れ込む塵芥を漉し取る網籠５０を備えることを特徴とする。【選択図】図１
0003189771.tif 000002
【実用新案登録請求の範囲】
【請求項１】
ステンレス鋼の芯材と銅の表材とで構成され、上面に水が流れ込むための開口部が設けられ、床又は地面に埋設される排水溝を備えることを特徴とする二重抗菌排水設備。
【請求項２】
ステンレス鋼の芯材と銅の表材とで構成され、前記開口部に敷設される溝蓋をさらに備えることを特徴とする請求項１に記載の二重抗菌排水設備。
【請求項３】
ステンレス鋼の芯材と銅の表材とで構成され、前記排水溝の端部に接続される集水枡をさらに備えることを特徴とする請求項２に記載の二重抗菌排水設備。
【請求項４】
ステンレス鋼の芯材と銅の表材とで構成され、前記集水枡の内部に設置され、前記集水枡に流れ込む塵芥を漉し取る網籠をさらに備えることを特徴とする請求項３に記載の二重抗菌排水設備。
【請求項５】
前記表材が、前記芯材の一部のみを覆っていることを特徴とする請求項１ないし４のいずれか１項に記載の二重抗菌排水設備。
【請求項６】
前記表材の一部又は全部が、銅メッキであることを特徴とする請求項１ないし５のいずれか１項に記載の二重抗菌排水設備。
【請求項７】
前記ステンレス鋼が、銀又は銅を含有するステンレス鋼であることを特徴とする請求項１ないし６のいずれか１項に記載の二重抗菌排水設備。
【考案の詳細な説明】
【技術分野】
【０００１】
本考案は、床又は地面に埋設される排水設備に関し、詳しくは、ステンレス鋼の芯材と銅の表材とで構成される排水溝を備える二重抗菌排水設備に関する。
【背景技術】
【０００２】
従来、抗菌作用を有する排水路装置として、特開平９−２１７４０２号公報に、パイプ状の排水溝と、その上面に開口される幅の狭い溝口を着脱自在に閉じる排水蓋とからなり、それら排水溝と排水蓋とに抗菌被膜が施された排水路装置が開示されている。
【先行技術文献】
【特許文献】
【０００３】
【特許文献１】特開平９−２１７４０２号公報
【考案の概要】
【考案が解決しようとする課題】
【０００４】
しかし、特許文献１に開示されている排水路装置では、合成樹脂製粉末塗料中に抗菌剤を混入したものを、ステンレス鋼板からなる排水溝に塗装することにより抗菌被膜を形成しており、係る場合、塗装面の経年変化による抗菌被膜の劣化や剥がれが発生する恐れがあるという課題があった。また、塗装してしまうため、ステンレス鋼板による金属光沢が失われてしまい、美観を損ねるという課題もあった。
【０００５】
本考案は、上記の点に鑑みなされたもので、強固で耐久性に富む抗菌層を形成することで、長年にわたり抗菌作用を発揮し続けることができるとともに、金属光沢を放ち美観に優れた二重抗菌排水設備を提供することを目的とする。
【課題を解決するための手段】
【０００６】
本考案の二重抗菌排水設備は、
ステンレス鋼の芯材と銅の表材とで構成され、上面に水が流れ込むための開口部が設けられ、床又は地面に埋設される排水溝を備えることを特徴とする。
【０００７】
本考案の二重抗菌排水設備によれば、排水溝が、ステンレス鋼の芯材と銅の表材とで構成されているため、塗装により構成された抗菌被膜に比べ、耐久性と強度に優れるとともに、金属光沢を放つことができ、美観に優れたものとすることができる。
【０００８】
本考案の二重抗菌排水設備の好ましい例は、
ステンレス鋼の芯材と銅の表材とで構成され、前記開口部に敷設される溝蓋をさらに備えることを特徴とする。
【０００９】
本考案の二重抗菌排水設備の好ましい例は、
ステンレス鋼の芯材と銅の表材とで構成され、前記排水溝の端部に接続される集水枡をさらに備えることを特徴とする。
【００１０】
本考案の二重抗菌排水設備の好ましい例は、
ステンレス鋼の芯材と銅の表材とで構成され、前記集水枡の内部に設置され、前記集水枡に流れ込む塵芥を漉し取る網籠をさらに備えることを特徴とする。
【００１１】
これらの本考案の二重抗菌排水設備の好ましい例によれば、排水溝に、ステンレス鋼の芯材と銅の表材とで構成された溝蓋、集水枡、網籠をさらに加えることができ、排水設備全体で耐久性と強度に優れた抗菌作用を有するとともに、全体が統一された金属光沢を放つことができる。
【００１２】
本考案の二重抗菌排水設備の好ましい例は、
前記表材が、前記芯材の一部のみを覆っていることを特徴とする。
【００１３】
本考案の二重抗菌排水設備の好ましい例によれば、表材が、芯材の一部のみを覆っているため、強度が必要とされる部分には比較的硬いステンレス鋼を露出させ、また、抗菌性能が必要とされる部分には抗菌作用に優れた銅で覆うことができ、強度と抗菌性能とを両立できるとともに、製品のコストダウンを図ることができる。
【００１４】
本考案の二重抗菌排水設備の好ましい例は、
前記表材の一部又は全部が、銅メッキであることを特徴とする。
【００１５】
本考案の二重抗菌排水設備の好ましい例によれば、表材の一部又は全部が、銅メッキであるため、容易に表材の被膜を形成することができる。また、地金がステンレス鋼であるため、表面の銅メッキに傷等が生じた場合においても、錆が発生しづらく、当初の外観を永く保つことができるとともに、菌の繁殖場所となる塵芥等が付着しづらく、抗菌作用を保つことができる。
【００１６】
本考案の二重抗菌排水設備の好ましい例は、
前記ステンレス鋼が、銀又は銅を含有するステンレス鋼であることを特徴とする。
【００１７】
本考案の二重抗菌排水設備の好ましい例によれば、ステンレス鋼が銀又は銅を含有するため、さらなる抗菌作用を有することができる。
【考案の効果】
【００１８】
以上述べたように、本考案によれば、強固で耐久性に富む抗菌層を形成することで、長年にわたり抗菌作用を発揮し続けることができるとともに、金属光沢を放ち美観に優れた二重抗菌排水設備を提供することができる。
【図面の簡単な説明】
【００１９】
【図１】本考案の一実施形態に係る二重抗菌排水設備を示す図である（第１実施形態）。
【図２】図１の排水溝のＡ−Ａ線断面図である。
【図３】図２の断面図において、排水溝が床に埋設された状態を示す図である。
【図４】第２実施形態の二重抗菌排水設備を示す図である。
【図５】図４の排水溝のＡ−Ａ線断面図である。
【図６】図５の断面図において、排水溝が床に埋設された状態を示す図である。
【図７】第２実施形態のメインバーとエンドバーの断面図である。
【考案を実施するための形態】
【００２０】
以下、本考案の二重抗菌排水設備の実施の形態について、添付図面を参照して詳細に説明する。
【００２１】
［第１実施形態］
図１は本考案の一実施形態に係る二重抗菌排水設備１の分解図、図２は図１に示す二重抗菌排水設備１の排水溝１０のＡ−Ａ線断面図、図３は図２の断面図において排水溝が床に埋設された状態を示す図である。
【００２２】
図１に示すように、本実施形態の二重抗菌排水設備１は、排水溝１０と、集水枡３０と、網籠５０とを備える。
【００２３】
排水溝１０は、排水溝１０の一方の端部に集水枡３０と接続するための排出口１２が設けられるとともに、図２にも示すように、その断面が略Ｖ字状をなし、上面に排水される水が流れ込むための開口部１１が設けられる。開口部１１の端は、逆Ｊ字状に折り曲げられ、その上端が平面１３をなしている。また、排水溝１０の底部と側面を支えるための支持板１４が適宜備えられている。また、排水溝１０は、図２の拡大図に示すように、ステンレス鋼の芯材１５であるステンレス鋼板に、銅メッキの被膜１６を施したもので構成されている。
【００２４】
また、図３に示すように、排水溝１０は、基礎面ＢＬ等にアンカーボルト１７で固定されたレベル調整板１８に、上記の支持板１４をボルトとナット１９で固定し、排水溝１０の開口部１１の上端の平面１３が床面ＦＬと同じ高さとなるように設置してある。そして、排水溝１０の周囲にはコンクリートＣが打設されてあり、排水溝１０を固定するとともに、排水溝１０周囲の床を形成する。なお、排水溝１０の底部は排水のため、集水枡３０に向かって下り勾配となっている。
【００２５】
図１に戻り、集水枡３０は、枡本体３１と、枡蓋３７とを備える。
枡本体３１は、略直方体をなし、その上部に枡開口部３２を、側面に流入口３３を、底部に排水口３４を備える。枡開口部３２は、その周縁が上方に突出した細長の平面３５で縁取られ、この平面３５が床面ＦＬと同じ高さとなるように設置される。また、枡開口部３２には、前記周縁の内側の一段窪んだ所に、枡蓋３７を敷設させるための受枠３６が設けられる。
【００２６】
流入口３３は、枡本体３１の側面から横方向に突出され、排水溝１０の排出口１２が接続される。排水口３４は、枡本体３１の底部に設けられ、下方に向かって突出した筒状をなし、図示しない排水管に接続される。また、枡本体３１も排水溝１０同様に、ステンレス鋼の芯材であるステンレス鋼板に、銅メッキの被膜を施したもので構成されている。
【００２７】
枡蓋３７は、その平らな側面を垂直方向とした平板を所定の間隔を空けて並列して設けた複数のメインバー３８と、その平らな側面を垂直方向とした平板を前記メインバー３８と水平方向に直交する方向に設け、前記メインバー３８の端部が接合される一対のエンドバー３９とを備えるグレーチングが採用できる。この枡蓋３７も、ステンレス鋼の芯材であるステンレス鋼板に、銅メッキの被膜を施したもので構成されている。
【００２８】
網籠５０は、集水枡３０の枡本体３１の内側底部に載置されるもので、直方体に組まれた枠５１と、枠５１の側面と底部に設けられた網５２とを備え、上記排水溝１０から流れ込んできた水に含まれる塵芥を漉し取る作用を有する。この網籠５０も、ステンレス鋼の芯材であるステンレス鋼板、ステンレス鋼管、及びステンレス鋼網に、銅メッキの被膜を施したもので構成されている。
【００２９】
なお、本実施形態の二重抗菌排水設備１に採用されるステンレス鋼は、ＳＵＳ３０４等の通常のステンレス鋼に加え、銅や銀等の抗菌作用が強い金属を含有させたものも採用できる。
【００３０】
［第２実施形態］
次に、本考案の二重抗菌排水設備の他の実施形態について説明する。図４は本考案の第２実施形態に係る二重抗菌排水設備２の分解図、図５は図４に示す二重抗菌排水設備２の排水溝１０１のＡ−Ａ線断面図、図６は図５の断面図において床に埋設された排水溝の状態を示す図、図７はメインバーとエンドバーの断面図である。なお、本実施形態において、前述の第１実施形態と同様の箇所は、図面に同じ符号を付して説明を省略する。
【００３１】
図４に示すように、本実施形態の二重抗菌排水設備２は、排水溝１０１と、溝蓋６０と、集水枡３０と、網籠５０とを備える。
【００３２】
排水溝１０１は、エンド型１０１ａ、十字型１０１ｂ、Ｔ字型１０１ｃ、Ｌ字型１０１ｄ、中間型１０１ｅ、先端型１０１ｆ等があり、これらを組み合わせて排水溝１０１の経路を形成する。エンド型１０１ａは、集水枡３０に接続される排水溝で、一方の端部に集水枡３０と接続するための排出口１２が設けられ、他方の端部には他の形態の排水溝と接続するためのフランジ２０が設けられる。十字型１０１ｂ、Ｔ字型１０１ｃは、排水溝の分岐点に用いられるもので、平面視でそれぞれ十字形状、Ｔ字形状をなしている。Ｌ字型１０１ｄは、排水溝の曲げ部分に用いられるもので、平面視でＬ字形状をなしている。中間型１０１ｅは、排水溝の延長に用いられるもので、直線形状となっている。なお、十字型１０１ｂ、Ｔ字型１０１ｃ、Ｌ字型１０１ｄ、中間型１０１ｅの排水溝は、他の排水溝との接続のためのフランジ２０を全ての端部に備える。先端型１０１ｆは、排水溝の先端部に用いられるもので、中間型１０１ｅの一方の端部のフランジ２０を取り外し、代わりに端壁２１を設けてある。
【００３３】
また、図５に示すように、排水溝１０１は、その断面が略Ｕ字状をなし、上面に排水される水が流れ込むための開口部１１が設けられる。開口部１１の端は、逆Ｊ字状に折り曲げられ、その上端が平面１３をなしている。また、前記平面１３の内側の一段下がったところに、溝蓋６０を敷設させるための受枠２２が設けられる。また図５の拡大図にも示すように、排水溝１０１の底面２３と側面２４の内側には、銅板からなる表材２５が貼設される。この表材２５は、接着剤や溶接等の公知の方法でステンレス鋼の芯材１５と接合される。なお、この表材２５は、開口部１１を含む排水溝１０１の面の全てを覆ってもよく、また、抗菌性能を保つ範囲でその面積を縮小させ、底面２３と側面２４の一部を覆うこともできる。また、排水溝１０１の底面２３と側面２４をその外側から支えるための支持板１４が適宜備えられている。また、場合によっては、ステンレス鋼を使用せず、銅板のみからなる排水溝とすることもできる。
【００３４】
また、図６に示すように、排水溝１０１は、上記の支持板１４を第１実施形態同様の方法でレベル調整板１８に固定し、施工される。
【００３５】
図４に戻り、溝蓋６０は、その平らな側面を垂直方向とした平板を所定の間隔を空けて並列して設けた複数のメインバー６１と、その平らな側面を垂直方向とした平板を前記メインバー６１と水平方向に直交する方向に設け、前記メインバー６１の端部が接合される一対のエンドバー６２とを備えるグレーチングが採用できる。また、図７にも示すように、溝蓋６０のメインバー６１とエンドバー６２は、ステンレス鋼の芯材１５の平らな側面に、銅板からなる表材２５が貼設されている。この表材２５も、芯材１５とは、ボルトとナット、接着剤、溶接等の公知の方法で接合される。
【００３６】
集水枡３０と、網籠５０とは、第１実施形態とその構成が同じであるため、説明を省略する。なお、集水枡３０と網籠５０の枠５１も、上記同様に、ステンレス鋼の芯材１５に銅からなる表材２５を貼設したものとすることができる。また、本実施形態の二重抗菌排水設備２に採用されるステンレス鋼は、第１実施形態同様にＳＵＳ３０４等の通常のステンレス鋼に加え、銅や銀等の抗菌作用が強い金属を含有させたものも採用できる。
【００３７】
以上、説明したように、本考案に係る二重抗菌排水設備によれば、それぞれの構成品がステンレス鋼の芯材と前記芯材に被膜された銅メッキ、又はステンレス鋼の芯材と前記芯材に貼設された銅の表材とで構成されている。これにより、銅の持つ強力な抗菌作用が排水設備全体に及び、排水溝に雑菌等が繁殖することがなく、衛生的に使用することができる。また、表面の抗菌被膜が銅板又は銅メッキで構成されているため、塗装等の被膜に比べ強度に優れるとともに、金属光沢を放ち美観に優れた排水設備とすることができる。また、地金にステンレス鋼を用いているため、排水設備全体の強度を向上させることができる。
【００３８】
また、ステンレス鋼の表面に銅メッキを施す構成では、表面の銅メッキに傷が入っても、地金がステンレス鋼のため腐食等することがなく、滑らかな表面を保つことができ、菌の繁殖場所となる塵芥等の付着を防止でき、菌の繁殖によって生じるヌメリ等が発生しづらく、抗菌作用を保つことができる。また、銅メッキが剥がれた場合においても、銅メッキ層の厚さが、塗装により構成された抗菌被膜に比べて薄いため、当該部分に段差が殆ど発生せず、排水中に含まれる塵芥等が付着しづらく、同じく菌の繁殖を抑えることができる。
【００３９】
また、ステンレス鋼に銅板を貼設する構成では、溝蓋が敷設される受枠、若しくはその上を人や台車が通行する上端の平面、又は溝蓋のメインバーの上下面等の損傷し易い部分は、強度に優れたステンレス鋼を露出させることで耐久性を向上させ、一方、排水が流れる側面や底面の内側に抗菌作用に優れた銅板を設けることで菌の繁殖等を抑えることができ、強度と抗菌性とを両立させることができる。また、抗菌性能が悪化しない範囲において銅板の面積を縮小させ、銅板を側面や底面の一部のみに設けることもでき、係る場合、コストに優れた二重抗菌排水設備とすることもできる。
【００４０】
また、ステンレス鋼は、ＳＵＳ３０４等の通常のステンレス鋼に加え、銅や銀等の抗菌作用が強い金属を含有させたものも採用でき、係る場合、さらなる抗菌作用が期待できる。
【００４１】
なお、上述した二重抗菌排水設備は、本考案の例示であり、考案の趣旨を逸脱しない範囲において、その構成を適宜変更できる。例えば、溝蓋や枡蓋をグレーチング以外の構成の蓋とすることもできる。
【符号の説明】
【００４２】
１，２・・二重抗菌排水設備、
１０，１０１・・排水溝、１０１ａ・・エンド型、１０１ｂ・・十字型、１０１ｃ・・Ｔ字型、１０１ｄ・・Ｌ字型、１０１ｅ・・中間型、１０１ｆ先端型、１１・・開口部、１２・・排出口、１３・・平面（排水溝）、１４・・支持板、１５・・芯材、１６・・銅メッキの被膜、１７・・アンカーボルト、１８・・レベル調整板、１９・・ボルト，ナット、２０・・フランジ、２１・・端壁、２２・・受枠（排水溝）、２３・・底面（排水溝）、２４・・側面（排水溝）、２５・・表材、ＢＬ・・基礎面、ＦＬ・・床面、Ｃ・・コンクリート、
３０・・集水枡、３１・・枡本体、３２・・枡開口部、３３・・流入口、３４・・排水口、３５・・平面（集水枡）、３６・・受枠（集水枡）、３７・・升蓋、３８・・メインバー（升蓋）、３９・・エンドバー（升蓋）、
５０・・網籠、５１・・枠、５２・・網、
６０・・溝蓋、６１・・メインバー（溝蓋）、６２・・エンドバー（溝蓋）、
【図１】
0003189771.tif 000003
【図２】
0003189771.tif 000004
【図３】
0003189771.tif 000005
【図４】
0003189771.tif 000006
【図５】
0003189771.tif 000007
【図６】
0003189771.tif 000008
【図７】
0003189771.tif 000009